(57)【要約】【課題】  メンブレンスイッチ上を転動しているパチンコ球の態様を本来想定される動きの範囲に収めることができるパチンコ機を提供すること。【解決手段】  上方シート２には、一定距離をもって仮想上形成された方眼の各交点に突起部４がそれぞれ形成されており、これにより、複数の突起部４が碁盤目状に配置されることになるが、この点、各突起部４の間隔ｐは、パチンコ球１１の直径Ｄよりも小さくなるように配慮されている。従って、パチンコ球１１が転動する床面としてメンブレンスイッチ１を構成する上方シート２に設けられた複数の突起部４が、パチンコ球１１の直径Ｄよりも小さい間隔ｐで碁盤目状に設けられており、スイッチとしての機能だけでなく、パチンコ球１１の重さを支えるブリッジとして機能する。【選択図】  図２
2005334491.tif 000002
【特許請求の範囲】
【請求項１】
パチンコ球が転動する床面と、
前記床面を一対のシートで構成するメンブレンスイッチと、
前記メンブレンスイッチのシートの一方にパチンコ球の直径よりも小さい間隔で碁盤目状に設けられた複数の突起部と、
各突起部の先端にそれぞれ設けられた複数の突起側電極と、
前記メンブレンスイッチのシートの他方に各突起側電極に対向してそれぞれ設けられた複数の平面側電極と、を備えたこと、を特徴とするパチンコ機。
【請求項２】
請求項１に記載するパチンコ機であって、
前記メンブレンスイッチのシートの他方に各突起側電極の間に対向してそれぞれ設けられた複数の発光体を備え、
前記シートの一方を光透過性のものにするとともに、各発光体が、各平面側電極のうち当該発光体と隣接するいずれか一つとそれぞれ電気的に接続されていること、を特徴とするパチンコ機。
【発明の詳細な説明】
【技術分野】
【０００１】
本発明は、メンブレンスイッチを有するパチンコ機に関するものである。
【背景技術】
【０００２】
従来のパチンコ機には、例えば、特許文献１に記載されているように、パチンコ球が転動し得る位置にメンブレンスイッチを設けたものがあり、このようなパチンコ機では、メンブレンスイッチ上にパチンコ球が転動すると、メンブレンスイッチの電気的性質から信号を発信させ、その信号を受信することを契機として、ＬＥＤランプの点滅などのパチンコ遊技の制御を行っている。
尚、特許文献１の「シートスイッチ」が、本書のメンブレンスイッチに相当する。
【特許文献１】特開平１１−２０６９７５号公報（第８頁）
【発明の開示】
【発明が解決しようとする課題】
【０００３】
しかしながら、メンブレンスイッチ上をパチンコ球が転動すると、メンブレンスイッチの構造上、パチンコ球が転動している箇所の面が沈むことは避けられない。この点、従来の役物のフラット面では、パチンコ球が転動している箇所の面が沈むことはあり得ないことから、メンブレンスイッチ上を転動しているパチンコ球の態様が、従来の役物のフラット面上での動きと大きく異なるおそれがあり、トラブルの原因になりかねない。
【０００４】
そこで、本発明は、上述した点を鑑みてなされたものであり、メンブレンスイッチ上を転動しているパチンコ球の態様を本来想定される動きの範囲に収めることができるパチンコ機を提供することを課題とする。
【課題を解決するための手段】
【０００５】
この課題を解決するために成された請求項１に係る発明は、パチンコ機であって、パチンコ球が転動する床面と、前記床面を一対のシートで構成するメンブレンスイッチと、前記メンブレンスイッチのシートの一方にパチンコ球の直径よりも小さい間隔で碁盤目状に設けられた複数の突起部と、各突起部の先端にそれぞれ設けられた複数の突起側電極と、前記メンブレンスイッチのシートの他方に各突起側電極に対向してそれぞれ設けられた複数の平面側電極と、を備えたこと、を特徴としている。
【０００６】
また、請求項２に係る発明は、請求項１に記載するパチンコ機であって、前記メンブレンスイッチのシートの他方に各突起側電極の間に対向してそれぞれ設けられた複数の発光体を備え、前記シートの一方を光透過性のものにするとともに、各発光体が、各平面側電極のうち当該発光体と隣接するいずれか一つとそれぞれ電気的に接続されていること、を特徴としている。
【発明の効果】
【０００７】
すなわち、本発明のパチンコ機では、パチンコ球が転動する床面としてメンブレンスイッチを構成するシートの一方に設けられた複数の突起部が、パチンコ球の直径よりも小さい間隔で碁盤目状に設けられており、スイッチとしての機能だけでなく、パチンコ球の重さを支えるブリッジとして機能するので、パチンコ球が転動する床面の沈みが緩やかとなり、メンブレンスイッチ上を転動しているパチンコ球の態様が従来の役物のフラット面での動きに近くなることから、メンブレンスイッチ上を転動しているパチンコ球の態様を本来想定される動きの範囲に収めることができ、もって、トラブルの発生も抑えることができる。
【０００８】
また、本発明のパチンコ機において、メンブレンスイッチのシートの他方に複数の発光体を各突起側電極の間に対向してそれぞれ設け、さらに、複数の発光体が各平面側電極のうち当該発光体と隣接するいずれか一つとそれぞれ電気的に接続されていると、メンブレンスイッチ上で光透過性のあるシートの一方を転動しているパチンコ球の自重により、パチンコ球の真下周辺の突起側電極と平面側電極が接触して、当該平面側電極と電気的に接続されるとともに当該平面側電極と隣接している発光体が発光するので、発光体の光により、光透過性のあるシートの上方を介して、パチンコ球及びその周辺を照らすことができる。
【発明を実施するための最良の形態】
【０００９】
以下、本発明の実施の形態を図面を参照にして説明する。図３は、第１種のパチンコ機の遊技盤の中央に配設される第１種中央役物を示した斜視図である。図３に示すように、第１種中央役物１０１には、その正面の左側中央付近において、特別図柄などを表示する液晶表示装置１０２が配設されている。
【００１０】
また、第１種中央役物１０１の上端面の右側付近には、パチンコ球が通過することが可能なワープ入口１０３が形成されている。そして、ワープ入口１０３は、パチンコ球が流下し得るように第１種中央役物１０１に貫通されたワープ通路１０４に連通している。一方、第１種中央役物１０１の正面の左側下部付近には、ワープ通路１０４に連通するとともにパチンコ球が通過することが可能なワープ出口１０５が形成されている。
【００１１】
また、ワープ出口１０５の下方には、液晶表示装置１０２の下方中央に向かって下りに傾斜したステージ１０６が形成されている。さらに、ステージ１０６の左端側の下方であって、液晶表示装置１０２の下方中央には、パチンコ球が流下し得る中央通路１０７が形成されている。そして、中央通路１０７は、第１種中央役物１０１の正面の中央下部付近において形成されるとともにパチンコ球が通過することが可能な中央出口１０８に連通している。
【００１２】
従って、ワープ入口１０３に進入したパチンコ球は、ワープ通路１０４を介して、ワープ出口１０５から放出され、ステージ１０６上に落下した後、ステージ１０６上を左方向に向かって転動することになる。さらに、ステージ１０６上を転動するパチンコ球は、ステージ１０６の左端から落下して、中央通路１０７を流下し、中央出口１０８から放出されることになる。この点、中央出口１０８の下方には、通常、第１種始動口（不図示）が配設されていることから、中央出口１０８から放出されたパチンコ球は、第１種始動口（不図示）に向かって転動することになる。
【００１３】
よって、ステージ１０６上を転動するパチンコ球は、第１種始動口（不図示）に入賞する可能性が高いことになるが、そのような状態にあるパチンコ球が転動するステージ１０６の床面には、ＬＥＤが搭載されたシート状のメンブレンスイッチが固定されている。尚、図３では、メンブレンスイッチが固定される領域を斜線で示している。
【００１４】
一方、図４は、第２種のパチンコ機の遊技盤の中央に配設される第２種中央役物を示した斜視図である。図４に示すように、第２種中央役物２０１には、その中央上部付近において、一対の開閉翼２０２，２０２が軸支されている。また、一対の開閉翼２０２，２０２の間には、背面に向かって下りに傾斜した受皿２０３が配設されている。また、受皿２０３は、第２種中央役物１０１の背面側に内設されるとともにパチンコ球が流下することが可能な背面通路２０４に連通している。
【００１５】
また、第２種中央役物２０１には、その中央奥部付近において、背面通路２０４に連通するとともにパチンコ球が通過することが可能な中央出口２０５が形成されている。そして、中央出口２０５の下方においては、正面に向かって下りに傾斜した傾斜板２０６が配設されている。さらに、傾斜板２０６の正面側の中央下方においては、パチンコ球が通過することが可能な第２種Ｖゾーン２０７が配設されている。
【００１６】
従って、開閉翼２０２，２０２が開放されている際に進入したパチンコ球は、受皿２０３を介して、背面通路２０４を流下した後、中央出口２０５から放出されることになる。さらに、中央出口２０５から放出されたパチンコ球は、傾斜板２０６上に落下した後、傾斜板２０６上を正面に向かって転動し、傾斜板２０６から落下することになる。
【００１７】
よって、傾斜板２０６の中央付近から落下するパチンコ球は、第２種Ｖゾーン２０７に入賞する可能性が高いことになるが、そのような状態にあるパチンコ球が転動する傾斜板２０６の床面には、ＬＥＤが搭載されたシート状のメンブレンスイッチが固定されている。尚、図４では、メンブレンスイッチが固定される領域を斜線で示している。
【００１８】
次に、図３のステージ１０６の床面や図４の傾斜板２０６の床面に固定されるＬＥＤ搭載のメンブレンスイッチについて説明する。図２は、メンブレンスイッチの概略斜視図である。また、図１は、図２の線Ａ−Ａで切断したメンブレンスイッチの概略断面図である。
【００１９】
図２や図１に示すように、メンブレンスイッチ１は一対のシート２，３等で構成されている。この点、上方シート２は、光透過性のある材料から製作されている。さらに、上方シート２には、一定距離をもって仮想上形成された方眼の各交点に突起部４が形成されており、さらに、各突起部４の下方先端に上部電極５がそれぞれ印刷されている。一方、下方シート３には、各上部電極５と対向する位置に下部電極６が印刷されており、さらに、各下部電極６の間にＬＥＤチップ７が配設されている。
尚、各ＬＥＤチップ７は、隣接する下部電極６のいずれか一つと電気的に接続されており、当該下部電極６が対向する上部電極５と接触した状態にある場合に限って点灯する。
【００２０】
従って、メンブレンスイッチ１上でパチンコ球が転動すると、図５に示すように、パチンコ球の真下付近では、パチンコ球の重さによって、上方シート２に印刷された複数の上部電極５の一部が下方シート３に印刷された下部電極６とそれそれ接触するので、パチンコ球の真下付近にあるＬＥＤチップ７が点灯することになり、さらに、それらのＬＥＤチップ７の光は、光透過性の上方シート２を介して、パチンコ球及びその周辺を照らすことなる。
【００２１】
この点、メンブレンスイッチ１は、パチンコ球が転動すると、第１種始動口（不図示）に入賞する可能性が高くなる図３のステージ１０６の床面や、パチンコ球が中央付近で転動・落下すると、第２種Ｖゾーン２０７に入賞する可能性が高くなる図４の傾斜板２０６の床面において、それぞれ固定されていることから、これらの入賞の可能性を認識して気分が高揚している遊技者に対し、パチンコ球の周辺床面をＬＥＤチップ７の光で装飾させることによって、快楽美を付与させることが可能となる。
【００２２】
また、上述したように、上方シート２には、一定距離をもって仮想上形成された方眼の各交点に突起部４がそれぞれ形成されており、これにより、複数の突起部４が碁盤目状に配置されることになるが、この点、図１に示すように、各突起部４の間隔ｐは、パチンコ球１１の直径Ｄよりも小さくなるように配慮されている。
【００２３】
従って、本実施の形態では、パチンコ球１１が転動する床面としてメンブレンスイッチ１を構成する上方シート２に設けられた複数の突起部４が、パチンコ球１１の直径Ｄよりも小さい間隔ｐで碁盤目状に設けられており、スイッチとしての機能だけでなく、パチンコ球１１の重さを支えるブリッジとして機能するので、パチンコ球１１が転動する床面の沈みが緩やかとなり、メンブレンスイッチ１上を転動しているパチンコ球１１の態様が従来の役物のフラット面での動きに近くなることから、メンブレンスイッチ１上を転動しているパチンコ球１１の態様を本来想定される動きの範囲に収めることができ、もって、トラブルの発生も抑えることができる。
【００２４】
尚、本発明は上記実施の形態に限定されるものでなく、その趣旨を逸脱しない範囲で様々な変更が可能である。
例えば、メンブレンスイッチ１上を転動しているパチンコ球１１の態様を本来想定される動きの範囲に収める観点からすれば、メンブレンスイッチ１にＬＥＤチップ７を搭載しなくとも実現することが可能である。
【００２５】
また、メンブレンスイッチ１は、パチンコ球１１が転動する床面に固定されるものであって、パチンコ機の機種によって固定箇所が限定されるものではない。
【産業上の利用可能性】
【００２６】
本発明は、パチンコ球の周辺を鮮やかに見せる装飾技術に適用し得る。
【図面の簡単な説明】
【００２７】
【図１】図２の線Ａ−Ａで切断したメンブレンスイッチの概略断面図である。
【図２】メンブレンスイッチの概略斜視図である。
【図３】第１種のパチンコ機の遊技盤の中央に配設される第１種中央役物を示した斜視図である。
【図４】第２種のパチンコ機の遊技盤の中央に配設される第２種中央役物を示した斜視図である。
【図５】図２の線Ａ−Ａで切断したメンブレンスイッチの概略断面図であって、メンブレンスイッチ上をパチンコ球が転動している状態を示した図である。
【符号の説明】
【００２８】
１  メンブレンスイッチ
２  上方シート
３  下方シート
４  突起部
５  上方電極
６  下方電極
７  ＬＥＤチップ
１０１  第１種中央役物
１０６  ステージ
２０１  第２種中央役物
２０６  傾斜板
Ｄ  パチンコ球の直径
ｐ  突起部の間隔
【図１】
2005334491.tif 000003
【図２】
2005334491.tif 000004
【図３】
2005334491.tif 000005
【図４】
2005334491.tif 000006
【図５】
2005334491.tif 000007